(57)【要約】【課題】電動鉛筆削りにおいて、切削対象となる鉛筆を第一切削手段及び第二切削手段のいずれか一方にのみ受容させる機構を合理的に備えさせる。【解決手段】鉛筆Ｐの第一挿入穴１ａと第二挿入穴１ｂとの間となる位置を回動中心として回動可能に取り付けられると共に、偏心位置に鉛筆Ｐの導入開口６ａを備え、導入開口６ａを第一挿入穴１ａに連通させた第一位置においては第二挿入穴１ｂを閉塞し、第二挿入穴１ｂに連通させた第二位置においては第一挿入穴１ａを閉塞するように構成された回動操作体６を備える。ケーシング１内には、第一挿入穴１ａから差し込まれた鉛筆Ｐの一端部に対し切削を施す第一切削手段２と、第二挿入穴１ｂから差し込まれた鉛筆Ｐの一端部に対し切削を施す第二切削手段３とを備える。内蔵モータ４の駆動により、第一切削手段２のベース２ａ及び第二切削手段３のベース３ａを同時に回転させるようにしている。【選択図】図５
2018001499.tif 000002
【特許請求の範囲】
【請求項１】
前部に、鉛筆の第一挿入穴と第二挿入穴とを備えてなるケーシングと、
前記ケーシングの外側に、前記第一挿入穴を開放し且つ前記第二挿入穴を閉塞させた第一位置と、前記第二挿入穴を開放し且つ前記第一挿入穴を閉塞させた第二位置との間に亘る移動可能に備えられた操作体と、
前記ケーシング内にあって、前記第一挿入穴から差し込まれた鉛筆の一端部に対し切削を施す第一切削手段と、
前記ケーシング内にあって、前記第二挿入穴から差し込まれた鉛筆の一端部に対し切削を施す第二切削手段とを備えており、
前記第一切削手段は、前記ケーシング内において実質的に前後方向に回転中心を沿わせるように支持されると共に鉛筆の一端部を受容するベースと、前記ベースに回転可能に支持されると共に前記ベースの回転に伴って回転して前記ベースに受容された鉛筆の一端部に対し切削を施す回転刃とを備えており、
前記第二切削手段は、前記ケーシング内において実質的に前後方向に回転中心を沿わせるように支持されると共に鉛筆の一端部を受容するベースと、前記ベースに固定されて前記ベースの回転に伴って前記ベースに受容された鉛筆の一端部に対し切削を施す固定刃とを備えており、
前記ケーシングに内蔵されたモータの駆動により、前記第一切削手段の前記ベース及び前記第二切削手段の前記ベースを同時に回転させるようにしてなる、電動鉛筆削り。
【請求項２】
前記操作体を、前記ケーシングの外側に、前記第一挿入穴と前記第二挿入穴との間となる位置を回動中心として回動可能に取り付けられると共に、前記回動中心に対し偏心した位置に鉛筆の導入開口を備え、前記導入開口を前記第一挿入穴に連通させた第一位置においては前記第二挿入穴を閉塞し、前記導入開口を前記第二挿入穴に連通させた第二位置においては前記第一挿入穴を閉塞するように構成された回動操作体としてなる、請求項１に記載の電動鉛筆削り。
【発明の詳細な説明】
【技術分野】
【０００１】
この発明は、電動鉛筆削りの改良に関する。
【背景技術】
【０００２】
電動によりカッターが回転される第１の鉛筆削り部と、手動により鉛筆を回転させたときに固定刃により鉛筆を削る第２の鉛筆削り部とを備えた鉛筆削り器として、特許文献１に示されるものがある。
【先行技術文献】
【特許文献】
【０００３】
【特許文献１】実用新案登録第３１１２２２５号
【発明の概要】
【発明が解決しようとする課題】
【０００４】
色鉛筆などの比較的芯の軟らかい鉛筆を電動の回転刃で削ると芯の折れを生じさせてしまう場合が多い。
【０００５】
特許文献１の第２の鉛筆削り部を電動で回転させるようにすれば、芯の軟らかい鉛筆を電動で適切に削ることも可能となる。
【０００６】
しかし、単純にモータにより駆動される二箇所の鉛筆削り部を設けさせた場合、二本の鉛筆を同時に鉛筆削り部に差し込む操作がなされることも考えられ、このような操作がなされた場合、モータ及び駆動力伝達機構に過度の負担を蒙らせることとなる。
【０００７】
二箇所の鉛筆削り部を個別のモータで駆動させたり、単一のモータで駆動させるがそのモータ及び駆動力伝達機構を前記ような負担にも抗しうる冗長性を持っものとすれば構造上の不都合はないが、この種の電動鉛筆削りを構成する部品点数を最小化する観点、機構を簡素化する観点、軽量化する観点、低廉供給可能なものとする観点から、現実的ではない。
【０００８】
この発明が解決しようとする主たる問題点は、この種の電動鉛筆削りにおいて、回転刃を備えた第一切削手段と、色鉛筆などの比較的芯の軟らかい鉛筆を適切に削ることが可能な第二切削手段とを、内蔵する単一のモータによって同時に駆動させるようにしながら、切削対象となる鉛筆を前記第一切削手段及び第二切削手段のいずれか一方にのみ受容させる機構、つまり、電動鉛筆削りに一度に差し込むことが可能な鉛筆を一本に限定させる機構を合理的に備えさせる点にある。
【課題を解決するための手段】
【０００９】
前記課題を達成するために、この発明にあっては、電動鉛筆削りを、前部に、鉛筆の第一挿入穴と第二挿入穴とを備えてなるケーシングと、
前記ケーシングの外側に、前記第一挿入穴を開放し且つ前記第二挿入穴を閉塞させた第一位置と、前記第二挿入穴を開放し且つ前記第一挿入穴を閉塞させた第二位置との間に亘る移動可能に備えられた操作体と、
前記ケーシング内にあって、前記第一挿入穴から差し込まれた鉛筆の一端部に対し切削を施す第一切削手段と、
前記ケーシング内にあって、前記第二挿入穴から差し込まれた鉛筆の一端部に対し切削を施す第二切削手段とを備えており、
前記第一切削手段は、前記ケーシング内において実質的に前後方向に回転中心を沿わせるように支持されると共に鉛筆の一端部を受容するベースと、前記ベースに回転可能に支持されると共に前記ベースの回転に伴って回転して前記ベースに受容された鉛筆の一端部に対し切削を施す回転刃とを備えており、
前記第二切削手段は、前記ケーシング内において実質的に前後方向に回転中心を沿わせるように支持されると共に鉛筆の一端部を受容するベースと、前記ベースに固定されて前記ベースの回転に伴って前記ベースに受容された鉛筆の一端部に対し切削を施す固定刃とを備えており、
前記ケーシングに内蔵されたモータの駆動により、前記第一切削手段の前記ベース及び前記第二切削手段の前記ベースを同時に回転させるようにしてなる、ものとした。
【００１０】
かかる電動鉛筆削りによれば、前記第二切削手段によって、色鉛筆などの比較的芯の軟らかい鉛筆を、人力を用いることなく、適切に削ることができる。前記第一切削手段と第二切削手段は、内蔵する単一のモータによって同時に駆動されるが、前記操作体により切削対象となる鉛筆は前記第一切削手段及び第二切削手段のいずれか一方にのみ受容され、鉛筆の切削にあたり前記モータ及びその駆動力伝達機構に過度の負担を蒙らせることがない。
【００１１】
前記操作体を、前記ケーシングの外側に、前記第一挿入穴と前記第二挿入穴との間となる位置を回動中心として回動可能に取り付けられると共に、前記回動中心に対し偏心した位置に鉛筆の導入開口を備え、前記導入開口を前記第一挿入穴に連通させた第一位置においては前記第二挿入穴を閉塞し、前記導入開口を前記第二挿入穴に連通させた第二位置においては前記第一挿入穴を閉塞するように構成された回動操作体とすることが、この発明の好ましい態様の一つとされる。
【発明の効果】
【００１２】
この発明によれば、電動鉛筆削りを、回転刃を備えた第一切削手段と、色鉛筆などの比較的芯の軟らかい鉛筆を適切に削ることが可能な第二切削手段とを、内蔵する単一のモータによって同時に駆動させる構造のものとしながら、切削対象となる鉛筆を前記第一切削手段及び第二切削手段のいずれか一方にのみ受容させる機構、つまり、電動鉛筆削りに一度に差し込むことが可能な鉛筆を一本に限定させる機構を合理的に備えさせることができる。
【図面の簡単な説明】
【００１３】
【図１】図１は、この発明の一実施の形態に係る電動鉛筆削り（第一例）の斜視図であり、回動操作体は第一位置にある。
【図２】図２は、前記電動鉛筆削り（第一例）の斜視図であり、回動操作体は第二位置にある。
【図３】図３は、前記電動鉛筆削り（第一例）の分離斜視図である。
【図４】図４は、前記回動操作体の背面図である。
【図５】図５は、前記電動鉛筆削り（第一例）の要部破断構成図である。
【図６】図６は、第二切削手段の斜視図である。
【図７】図７は、第一切削手段の斜視図である。
【図８】図８は、この発明の一実施の形態に係る電動鉛筆削り（第二例）の斜視図であり、スライド操作体は第一位置にある。
【図９】図９は、前記電動鉛筆削り（第二例）の斜視図であり、スライド操作体は第二位置にある。
【発明を実施するための形態】
【００１４】
以下、図１〜図９に基づいて、この発明の典型的な実施の形態について、説明する。この実施の形態にかかる電動鉛筆削りは、回転刃２ｄを備えた第一切削手段２と、色鉛筆などの比較的芯の軟らかい鉛筆Ｐを適切に削ることが可能な第二切削手段３とを、内蔵する単一のモータ４によって同時に駆動させるようにしながら、切削対象となる鉛筆Ｐを前記第一切削手段２及び第二切削手段３のいずれか一方にのみ受容されるようにする機構を備えている。
【００１５】
図５中符号１は鉛筆Ｐ削りの外殻を構成するケーシングである。また、図５中符号２は前記第一切削手段、符号３は前記第二切削手段、符号４はこのケーシング１に内蔵されたモータである。
【００１６】
前記ケーシング１の前部１ｃには、鉛筆Ｐの第一挿入穴１ａと第二挿入穴１ｂとが形成されている。
【００１７】
図示の例では、ケーシング１の左右方向中程の位置を挟んだ左側に前記モータ４が内蔵されている。ケーシング１の左右方向中程の位置を挟んだ右側であって上下方向中程の位置を挟んだ上側に、前記第一挿入穴１ａと第二挿入穴１ｂとが形成されている。前記前記第一挿入穴１ａと第二挿入穴１ｂの後方において、ケーシング１内に前記第一切削手段２及び第二切削手段３が配されている。ケーシング１の左右方向中程の位置を挟んだ右側であって上下方向中程の位置を挟んだ下側には、上面開口の引き出し５が前方に引き出し可能に納められており、前記第一切削手段２及び第二切削手段３から生じた削りくずは前記引き出し５に貯まるようになっている。
【００１８】
前記ケーシング１の外側には操作体が備えられている。この操作体は、前記第一挿入穴１ａを開放し且つ前記第二挿入穴１ｂを閉塞させた第一位置と、前記第二挿入穴１ｂを開放し且つ前記第一挿入穴１ａを閉塞させた第二位置との間に亘る移動可能となっており、この操作体によって、切削対象となる鉛筆Ｐは前記第一切削手段２及び第二切削手段３のいずれか一方にのみ受容されるようになっている。
【００１９】
図１〜図７に示される電動鉛筆削りの第一例では、ケーシング１の前部１ｃには、短寸円柱状をなす突出部１ｄが形成されている。突出部１ｄの中心には、貫通穴１ｅが形成されている。突出部１ｄの中心を通る仮想の水平線ｘ（図３参照）上であって、前記中心を挟んだ左側に前記第一挿入穴１ａが形成されている。突出部１ｄの中心を通る水平線ｘ上であって、前記中心を挟んだ右側に前記第二挿入穴１ｂが形成されている。突出部１ｄにおける前記水平線ｘを挟んだ上側は、これを挟んだ下側より外径を太くするように構成されており、これにより、突出部１ｄの側部であって前記水平線ｘ上に位置される箇所には、突出部１ｄの左右においてそれぞれ、下方に向いた段差１ｆが形成されている。また、突出部１ｄの中心の直下位置には、上下方向に長いリブ状の突部１ｇが形成されている。このリブ状の突部１ｇは、左右方向に延びる二条の割り溝１ｈ、１ｈによって区分形成された帯状の弾性変形可能部分１ｉの中央に形成されている。
【００２０】
図１〜図７に示される電動鉛筆削りの第一例では、前記操作体は、回動操作体６となっている。この回動操作体６は、前記第一挿入穴１ａと前記第二挿入穴１ｂとの間となる位置を回動中心として回動可能に取り付けられると共に、前記回動中心に対し偏心した位置に鉛筆Ｐの導入開口６ａを備え、前記導入開口６ａを前記第一挿入穴１ａに連通させた第一位置（図１）においては前記第二挿入穴１ｂを閉塞し、前記導入開口６ａを前記第二挿入穴１ｂに連通させた第二位置（図２）においては前記第一挿入穴１ａを閉塞するように構成されている。
【００２１】
図示の例では、前記回動操作体６は、筒一端を閉塞させた短寸円筒状を呈している。前記回動操作体６は、開放された筒他端より前記突出部１ｄを内部に隙間少なく受け入れる形状となっている。図示の例では、このように前記回動操作体６内に前記突出部１ｄを受け入れさせた状態において、前記貫通穴１ｅに前記回動操作体６の中心に形成されたボス部６ｂが入り込み、このボス部６ｂを回動中心として回動操作体６が回動されるようになっている。図示の例では、前記ケーシング１の内側から前記ボス部６ｂに座板を介してネジ７を止め付けることにより、前記回動操作体６と前記ケーシング１との組み合わせ状態を維持させている。
【００２２】
前記導入開口６ａは、図示の例では、前記回動操作体６の筒他端を閉塞する前板部６ｃを貫通する円形の穴となっている。前記導入開口６ａは、図示の例では、前記第一挿入穴１ａ及び前記第二挿入穴１ｂよりも大きく、前記第一位置においては前記導入開口６ａの中心を挟んだ左側に前記第一挿入穴１ａを位置させ、また、前記第二位置においては前記導入開口６ａの中心を挟んだ右側に前記第二挿入穴１ｂを位置させるようになっている。
【００２３】
前記回動操作体６の内側であって、前記回動中心を挟んだ前記導入開口６ａ側と反対の外周側には、前記第一位置及び前記第二位置においてそれぞれ対応する前記段差１ｆに下方から突き当たる回り止め部６ｄが形成されている。また、前記回動操作体６の内側で、かつ、前記回動中心を挟んだ両側であって前記回り止め部に６ｄ対して回動方向において９０度分の間隔を開けた位置にはそれぞれ、前記第一位置及び前記第二位置において前記リブ状の突部１ｇが前記帯状の弾性変形可能部分１ｉの弾発によって納まる凹部６ｅが形成されている。
【００２４】
これにより、この実施の形態にあっては、前記回動操作体６は前記第一位置と前記第二位置との間において、１８０度の範囲で回動操作でき、また、前記第一位置と前記第二位置にある状態を前記突部１ｇと前記凹部６ｅとにより仮保持されるようになっている。
【００２５】
図示の例では、前記突出部１ｄに、前記回動操作体６が前記第一位置にあるときに前記導入開口６ａを通じて外部から視認可能な第一表示部１ｋと、前記回動操作体６が前記第二位置にあるときに前記導入開口６ａを通じて外部から視認可能な第二表示部１ｍとが付設されている。前記第二表示部１ｍを色鉛筆などの比較的芯の軟らかい鉛筆Ｐを明示あるいは暗示させる表示としておくことで、第二表示部１ｍが視認できるときに比較的芯の軟らかい鉛筆Ｐを削るようにすべきことを使用者に理解させることができる。
【００２６】
図示の例では、回動操作体６の側部には、その回動操作を行いやすくする滑り止めの凹部６ｆが回動方向において隣り合う凹部６ｆとの間に間隔を開けて複数個形成されている。
【００２７】
前記第一切削手段２は、前記ケーシング１内において実質的に前後方向に回転中心を沿わせるように支持されると共に鉛筆Ｐの一端部を受容するベース２ａと、前記ベース２ａに回転可能に支持されると共に前記ベース２ａの回転に伴って回転して前記ベース２ａに受容された鉛筆Ｐの一端部に対し切削を施す回転刃２ｄとを備えている。
【００２８】
前記ベース２ａは、前記第一挿入穴１ａの中心を通る前後方向に沿った仮想の直線ｙ１（図５参照）を回転中心とするように前記ケーシング１側に支持されている。ベース２ａの前端には鉛筆Ｐの受容空間２ｂへの導入口２ｃが形成されており、この導入口２ｃは前記第一挿入穴１ａの後方に位置される。前記受容空間２ｂの内奥部はケーシング１の後部側に向かうにつれて断面積を小さくする円錐状空間となっている。前記回転刃２ｄは、その周面の一部を前記円錐状空間に臨ませている。前記回転刃２ｄは、その回転軸を前記円錐状空間の傾斜周面の傾斜に実質的に沿わせるようにして前記ベースに回転可能に支持されている。前記回転刃２ｄの後端部には、前記ケーシング１側に形成された図示しない内歯車にかみ合うギア部２ｅが付設されており、ベース２ａが回転すると、前記回転刃２ｄは自転しながら受容空間２ｂに差し込まれた鉛筆Ｐの一端部の回りを巡るように公転し、これにより、受容空間２ｂに差し込まれた鉛筆Ｐの一端部の切削がなされるようになっている。図示は省略するが、前記回転刃２ｄの周面には、その回転軸を巡る螺旋に沿ったリブ状をなす刃体が形成されている。なお、図５及び図７中、符号２ｆで示すのは、前記回転刃２ｄに対するカウンターウエイトである。
【００２９】
前記第二切削手段３は、前記ケーシング１内において実質的に前後方向に回転中心を沿わせるように支持されると共に鉛筆Ｐの一端部を受容するベース３ａと、前記ベース３ａに固定されて前記ベース３ａの回転に伴って前記ベース３ａに受容された鉛筆Ｐの一端部に対し切削を施す固定刃３ｄとを備えている。
【００３０】
前記ベース３ａは、前記第二挿入穴１ｂの中心を通る前後方向に沿った仮想の直線ｙ２（図５参照）を回転中心とするように前記ケーシング１側に支持されている。ベース３ａの前端には鉛筆Ｐの受容空間３ｂへの導入口３ｃが形成されており、この導入口３ｃは前記第二挿入穴１ｂの後方に位置される。前記受容空間３ｂはケーシング１の後部側に向かうにつれて断面積を小さくする円錐状空間となっている。前記固定刃３ｄは、刃先を前記円錐状空間に臨ませており、ベース３ａが回転すると受容空間３ｂに差し込まれた鉛筆Ｐの一端部の回りを前記固定刃３ｄの刃先が巡るように移動しこれにより鉛筆Ｐの一端部の切削がなされるようになっている。
【００３１】
図示の例では、前記第一切削手段２のベース２ａの後端は第一ギア８の回転中心に固定され、前記第二切削手段３のベース３ａの後端は第二ギア９の回転中心に固定され、この第一ギア８と第二ギア９とはこれらの直下に位置される連動ギア１０にそれぞれかみ合っている。モータ４の駆動軸と第一ギア８とを接続する伝達ギア１１により、モータ４が駆動されると第一切削手段２のベース２ａが回転されると共に、前記連動ギア１０により第二切削手段３のベース３ａが第一切削手段２のベース２ａと逆向きに回転されるようになっている。
【００３２】
図示の例では、第一挿入穴１ａ及び第二挿入穴１ｂと、第一切削手段２のベース２ａの前端及び第二切削手段３のベース３ａの前端との間に、スライド部材１２が配置されている。このスライド部材１２は、第一挿入穴１ａ及び第二挿入穴１ｂのいずれか一方に鉛筆Ｐが差し込まれるとこの鉛筆Ｐの一端部に接して図５に示される基準位置から左側に移動し、その左端によって図中符号１４で示すスイッチの可動部分１５を押すようになっている。図示の例では、このスイッチ１４の可動部分１５が押されると前記モータ４の図示しない駆動回路が閉成（ＯＮ）され、モータ４が駆動され、前記第一切削手段２のベース２ａ及び第二切削手段３のベース３ａが同時に回転されるようになっている。図５中、符号１３で示すのは、鉛筆Ｐを抜き出したときには前記スライド部材１２を前記基準位置に強制的に復動させるようにスライド部材１２とケーシング１との間に介在されたバネであり、スライド部材１２が復動するとモータ４の駆動回路は開成（ＯＦＦ）されるようになっている。
【００３３】
この実施の形態にかかる電動鉛筆Ｐ削りによれば、前記第二切削手段３によって、色鉛筆などの比較的芯の軟らかい鉛筆Ｐを、人力を用いることなく、適切に削ることができる。前記第一切削手段２と第二切削手段３は、内蔵する単一のモータ４によって同時に駆動されるが、前記回動操作体６により切削対象となる鉛筆Ｐは前記第一切削手段２及び第二切削手段３のいずれか一方にのみ受容され、鉛筆Ｐの切削にあたり前記モータ４及びその駆動力伝達機構に過度の負担を蒙らせることがないようになっている。
【００３４】
図８及び図９は、前記操作体を、左右方向にスライド移動可能なスライド操作体６’とした電動鉛筆削りの第二例を示している。このスライド操作体６’は、前記ケーシング１の外側に、前記第一挿入穴１ａを鉛筆Ｐの差し込み可能に開放し且つ前記第二挿入穴１ｂを閉塞させた第一位置（図８参照）と、前記第二挿入穴１ｂを鉛筆Ｐの差し込み可能に開放し且つ前記第一挿入穴１ａを閉塞させた第二位置（図９参照）との間に亘る左右方向に向けたスライド移動可能に備えられている。
【００３５】
この第二例では、ケーシング１の前部１ｃには、前記スライド操作体６’を左右方向にスライド移動可能に納める凹所１ｎが形成されている。凹所１ｎの左右方向の長さは前記スライド操作体６’の左右方向の長さの約二倍であり、凹１ｎ所の上下方向の幅は前記スライド操作体６’の上下方向の幅と実質的に等しくなっている。凹所１ｎの内奥部の左右方向中程の位置を挟んだ左側に第一挿入穴１ａが形成され、凹所１ｎの内奥部の左右方向中程の位置を挟んだ右側に第二挿入穴１ｂが形成されている。前記スライド操作体６’を右側に移動させきった第一位置ではスライド操作体６’の左端と凹所１ｎの左端との間に第一挿入穴１ａと第一表示部１ｋが現れ、第二挿入穴１ｂと第二表示部１ｍはスライド操作体６’により隠される（図８）。前記スライド操作体６’を左側に移動させきった第二位置ではスライド操作体６’の右端と凹所１ｎの右端との間に第二挿入穴１ｂと第二表示部１ｍが現れ、第一挿入穴１ａと第一表示部１ｋはスライド操作体６’により隠される（図９）。
【００３６】
図８及び図９に示される例のその余の構造は図１〜図７に示される例と同一又は実質的に同一であるので、その説明は省略する。
【００３７】
なお、当然のことながら、本発明は以上に説明した実施形態に限定されるものではなく、本発明の目的を達成し得るすべての実施形態を含むものである。
【符号の説明】
【００３８】
Ｐ  鉛筆
１  ケーシング
１ａ  第一挿入穴
１ｂ  第二挿入穴
２  第一切削手段
２ａ  ベース
３  第二切削手段
３ａ  ベース
４  モータ
６  回動操作体
６ａ  導入開口
【図１】
2018001499.tif 000003
【図２】
2018001499.tif 000004
【図３】
2018001499.tif 000005
【図４】
2018001499.tif 000006
【図５】
2018001499.tif 000007
【図６】
2018001499.tif 000008
【図７】
2018001499.tif 000009
【図８】
2018001499.tif 000010
【図９】
2018001499.tif 000011